【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
ネットワークを介してデータを配信するサーバと、
配信された前記データを受信するクライアント端末と、
記録メディアに、前記クライアント端末が受信した前記データを書き込む書き込み手段と、を備え、
前記書き込み手段は、前記記録メディアの格納領域のうち、データが書き込まれていない領域に、一度限りの書き込みを行う、データ配信システム。
【請求項２】
前記書き込み手段は、前記記録メディアの前記格納領域のうち、データが書き込まれていない領域に、所定の領域単位で、一度限りの書き込みを行う、請求項１記載のデータ配信システム。
【請求項３】
前記クライアント端末は、前記記録メディアへの書き込みが正常であるときに、所定情報を、前記サーバに送信する、請求項１又は２記載のデータ配信システム。
【請求項４】
前記サーバは、前記記録メディアの空き領域情報が、配信が要求された前記データの容量情報以上の場合に、前記クライアント端末へ前記データを送信する、請求項１から３記載のデータ配信システム。
【請求項５】
前記クライアント端末は、前記記録メディアへの書き込みが正常であるときに、書き込みのために保持した前記データを消去する、請求項１から４記載のデータ配信システム。
【請求項６】
前記クライアント端末は、前記サーバへ、前記記録メディアの識別情報を送信する、請求項１から５記載のデータ配信システム。
【請求項７】
前記クライアント端末は、前記記録メディアに既に記録しているデータの情報を表示し、かつ、前記記録メディアに書き込み可能なデータの最大容量を示す情報を表示する、請求項１から６記載のデータ配信システム。
【請求項８】
前記クライアント端末は、前記記録メディアに既に記録しているデータと、前記記録メディアに書き込もうとするデータと、が同じ場合に、同じである旨を表示する、請求項１から７記載のデータ配信システム。
【請求項９】
前記クライアント端末と前記書き込み手段とが、別個に設けられ、前記クライアント端末と前記書き込み手段とは、有線あるいは無線により接続される、請求項１から８記載のデータ配信システム。
【請求項１０】
前記クライアント端末は、前記書込み手段が前記クライアント端末に接続されていない場合に、第１の所定の表示を行い、かつ、前記記録メディアが前記書込み手段に接続されていない場合に、第２の所定の表示を行う、請求項１から９記載のデータ配信システム。
【請求項１１】
前記書き込み手段は、マイク一体型カラオケ装置に内蔵される、請求項９記載のデータ配信システム。
【請求項１２】
前記クライアント端末と前記書き込み手段とが、一体として構成される、請求項１から８記載のデータ配信システム。
【請求項１３】
前記クライアント端末は、前記記録メディアが前記書込み手段に接続されていない場合に、所定の表示を行う、請求項１２記載のデータ配信システム。
【請求項１４】
前記クライアント端末が前記サーバに要求する前記データは、楽曲データである、請求項１から１３記載のデータ配信システム。
【請求項１５】
前記クライアント端末が前記サーバに要求する前記データは、楽曲データであり、
前記クライアント端末は、前記記録メディアに既に記録している楽曲の情報を表示し、かつ、前記記録メディアに書き込み可能な楽曲の数情報を表示する、請求項１から１３記載のデータ配信システム。
【請求項１６】
前記クライアント端末が前記サーバに要求する前記データは、カラオケの楽曲データ及び画像データである、請求項１から１３記載のデータ配信システム。
【請求項１７】
前記クライアント端末が前記サーバに要求する前記データは、ゲームデータである、請求項１から１３記載のデータ配信システム。
【請求項１８】
前記記録メディアは、データが書き込まれていない領域に、一度限りの書き込みが可能な記録メディアである、請求項１から１７記載のデータ配信システム。
【請求項１９】
前記記録メディアには、配信されて前記記録メディアに書き込まれた前記データを処理する際に使用するデータが予め書き込まれている、請求項１から１８記載のデータ配信システム。
【請求項２０】
ネットワークを介してサーバが配信したデータを受信するクライアント端末と、
記録メディアに、前記クライアント端末が受信した前記データを書き込む書き込み手段と、を備え、
前記書き込み手段は、前記記録メディアの格納領域のうち、データが書き込まれていない領域に、一度限りの書き込みを行う、データ取得装置。
【請求項２１】
ネットワークを介してサーバが配信したデータを、記録メディアに書き込む書き込み装置であって、
前記記録メディアが装着される装着手段と、
前記装着手段に装着された前記記録メディアの格納領域のうち、データが書き込まれていない領域に、一度限りの書き込みを行う書込手段と、を備える書き込み装置。
【請求項２２】
ネットワークを介してサーバが配信したデータを受信するステップと、
記録メディアに、受信した前記データを書き込むステップと、をコンピュータに実行させ、
前記書込ステップでは、コンピュータに対して、前記記録メディアの格納領域のうち、データが書き込まれていない領域に、一度限りの書き込みを行わせる、データ取得プログラム。
【請求項２３】
ネットワークを介してサーバが配信したデータを受信するステップと、
記録メディアに、受信した前記データを書き込むステップと、を含み、
前記書込ステップでは、前記記録メディアの格納領域のうち、データが書き込まれていない領域に、一度限りの書き込みを行う、データ取得方法。
【請求項２４】
請求項２１に記載の書き込み装置により、ネットワークを介してサーバから配信されたデータが書き込まれる記録メディアであって、
前記記録メディアの格納空間は、所定数の格納領域に区分され、
前記所定数の格納領域のうち、データが書き込まれていない格納領域に、一度限りの書き込みが行われる、記録メディア。
【請求項２５】
配信されて前記記録メディアに書き込まれた前記データを処理する際に使用するデータが予め書き込まれている、請求項２４記載の記録メディア。
【請求項２６】
記録メディアに書き込むデータを、ネットワークを介して配信するサーバにおいて、
前記記録メディアの所定の領域単位で前記データを配信する、ことを特徴とするサーバ。
【請求項２７】
内部のデータへのアクセスを行う為の第１の独自インタフェースを備えたメモリカートリッジと、
前記第１の独自インタフェースに対して互換性を有すると共に、これと接続可能な第２の独自インタフェースを備え、前記メモリカートリッジからカラオケデータを読み出すと共に、このカラオケデータを再生するカラオケ再生装置と、
インターネットに接続され、カラオケデータ配信サービスを行うカラオケデータサーバと、
インターネットを介して前記カラオケデータサーバからカラオケデータをダウンロードするデータ通信機能と、前記第１の独自インタフェースに対して互換性を有すると共に、これと接続可能な第３の独自インタフェースと、前記カラオケデータを前記メモリカートリッジへ書き込む機能と、を有する書き込み装置と、を備えたカラオケデータ配信システム。
【請求項２８】
前記書き込み装置は、前記カラオケ再生装置に内蔵されており、前記第２の独自インタフェースは、前記第３の独自インタフェースとして機能する、請求項２７記載のカラオケデータ配信システム。
【請求項２９】
コンテンツ配信システムであって、
内部のデータへのアクセスを行う為の第１の独自インタフェースを備えたメモリカートリッジと、
前記第１の独自インタフェースに対して互換性を有すると共に、これと接続可能な第２の独自インタフェースを備え、前記メモリカートリッジからコンテンツを読み出すと共に、このコンテンツデータを使用するコンテンツ使用装置と、
インターネットに接続され、コンテンツ配信サービスを行うコンテンツサーバと、
インターネットを介して前記コンテンツサーバからコンテンツデータをダウンロードするデータ通信機能と、前記第１の独自インタフェースに対して互換性を有すると共に、これと接続可能な第３の独自インタフェースと、前記コンテンツを前記メモリカートリッジへ書き込む機能と、を有する書き込み装置と、を備えたコンテンツ配信システム。